(57)【特許請求の範囲】
【請求項１】
ワイヤ準備デバイス（１００）であって、
前記ワイヤ準備デバイス（１００）は、
-  モータ（１０２）と、
-  前端部（１１０）を有し、前記前端部の後方で前記モータに結合されている、デバイスハウジング（１０４）と、
-  前記デバイスハウジング（１０４）によって保持され、動力結合構成要素（１２４）を介して前記モータ（１０２）に機械的に接続されている、ワイヤスピナ（１０８）と、を備え、
前記ワイヤスピナ（１０８）は、前記デバイスハウジング（１０４）の前記前端部（１１０）から突出しているワイヤ端（１２２）まで延在し、
前記ワイヤスピナ（１０８）は、
・前記ワイヤ端（１２２）の開口部（２１４）を通してケーブル（１１４）の１本または複数本のワイヤ（１３２）の端部（２１８）を中に受け入れるように構成されているチャネル（１３０）を画定するコレットスリーブ（４０２）と、
・前記コレットスリーブ（４０２）を包囲しており、前記コレットスリーブに対して後退位置と作動位置の間で移動可能な外側カラー（４０４）と、を含み、
前記作動位置にある前記外側カラー（４０４）は、前記コレットスリーブ（４０２）を半径方向内向きに収縮させて、前記１本または複数本のワイヤ（１３２）を前記チャネル（１３０）内に解放可能に固定し、
前記ワイヤスピナ（１０８）は、前記モータ（１０２）によって前記デバイスハウジング（１０４）に対して回転され、前記コレットスリーブ（４０２）内に解放可能に固定されている前記ケーブル（１１４）の前記１本または複数本のワイヤ（１３２）の撚り戻しまたは直線化のうちの１つまたは複数を行うように構成されている、
ワイヤ準備デバイス（１００）。
【請求項２】
前記コレットスリーブ（４０２）の前記チャネル（１３０）は、ワイヤの撚り対（２２０）の両方のワイヤ（１３２）の端部（２１８）を同時に収容するように構成されているサイズおよび寸法を有し、
前記ワイヤスピナ（１０８）の回転により前記ワイヤ（１３２）の撚り対が撚り戻される、
請求項１に記載のワイヤ準備デバイス（１００）。
【請求項３】
前記ワイヤスピナ（１０８）は直線化ワイヤスピナの対（１４０）のうちの第１のワイヤスピナ（１０８Ｂ）であり、
前記ワイヤ準備デバイスは、前記第１のワイヤスピナと同一であり前記デバイスハウジング（１０４）の前記前端部（１１０）に沿って前記第１のワイヤスピナと隣り合っている、前記直線化ワイヤスピナの対（１４０）のうちの第２のワイヤスピナ（１０８Ｃ）を更に含み、
前記第１のワイヤスピナ（１０８Ｂ）および前記第２のワイヤスピナ（１０８Ｃ）の前記コレットスリーブ（４０２）の前記チャネル（１３０）の各々は、ワイヤの撚り対（２２０）の１本のワイヤ（１３２）の端部（２１８）を中に収容するように構成されているサイズおよび寸法を有し、
前記第１のワイヤスピナ（１０８Ｂ）および前記第２のワイヤスピナ（１０８Ｃ）は、前記モータ（１０２）によって同時に回転され、前記撚り対の前記ワイヤの各々を個々に直線化するように構成されている、
請求項１に記載のワイヤ準備デバイス（１００）。
【請求項４】
前記動力結合構成要素（１２４）はモータカプラ（３０２）と、駆動歯車（３０６）と従動歯車（３０８）とを含み、
前記モータカプラ（３０２）は前記モータ（１０２）と前記駆動歯車（３０６）の間に機械的に接続されており、前記従動歯車（３０８）は前記駆動歯車（３０６）と噛み合わされ前記ワイヤスピナ（１０８）に機械的に接続されており、
前記モータによる前記モータカプラ（３０２）の回転により、前記ワイヤスピナ（１０８）が前記駆動歯車（３０６）および前記従動歯車（３０８）を介して回転される、
請求項１に記載のワイヤ準備デバイス（１００）。
【請求項５】
前記コレットスリーブ（４０２）は前記コレットスリーブの周囲に沿って離間されている複数の切り溝（４０６）によって区切られており、
前記コレットスリーブ（４０２）は前記外側カラー（４０４）の内壁（４５２）に係合する円錐形の外周を有し、
前記コレットスリーブ（４０２）に対する前記外側カラー（４０４）の軸方向の移動により、前記コレットスリーブが半径方向内向きに収縮される、
請求項１に記載のワイヤ準備デバイス（１００）。
【請求項６】
前記デバイスハウジング（１０４）によって保持され前記モータ（１０２）に機械的に接続されているジャケット剥離器（１０６）を更に備え、
前記ジャケット剥離器（１０６）は、前記ワイヤスピナ（１０８）から離間した位置で前記デバイスハウジング（１０４）の前記前端部（１１０）を越えて突出している円筒形ハウジング（１４４）を含み、
前記円筒形ハウジング（１４４）はケーブル（１１４）の端部（１５０）を中に受け入れるように構成されているソケット（１４８）を画定しており、
前記ジャケット剥離器（１０６）は、ブレード（２０８）を更に含み、
前記ブレード（２０８）は、前記ブレードを前記ソケット（１４８）内の前記ケーブルのケーブルジャケット（２０２）と係合させるように付勢されるばね式プランジャ（６０４）によって保持されており、
前記ジャケット剥離器（１０６）は、前記モータ（１０２）によって、前記ケーブル（１１４）に対して、前記ブレード（２０８）が前記ケーブルジャケット（２０２）を前記ケーブルジャケットの全周にわたって切断するよう回転されるように構成されている、
請求項１に記載のワイヤ準備デバイス（１００）。
【請求項７】
前記動力結合構成要素（１２４）は、
-  前記モータ（１０２）と駆動歯車（３０６）の間に機械的に接続されるモータカプラ（３０２）と、
-  前記駆動歯車（３０６）と、
-  前記駆動歯車（３０６）と噛み合わされており、前記ワイヤスピナ（１０８）に機械的に接続される第１の従動歯車（３０８Ａ）と、
-  前記駆動歯車（３０６）と噛み合わされており、前記ジャケット剥離器（１０６）に機械的に接続される第２の従動歯車（３０８Ｂ）と、を含み、
前記モータ（１０２）による前記モータカプラ（３０２）の回転により、前記ワイヤスピナ（１０８）および前記ジャケット剥離器（１０６）が、前記駆動歯車（３０６）ならびに前記第１の従動歯車（３０８Ａ）および前記第２の従動歯車（３０８Ｂ）を介して同時に回転される、
請求項６に記載のワイヤ準備デバイス（１００）。
【請求項８】
前記外側カラー（４０４）は前記デバイスハウジング（１０４）内で解放シャフト（４２０）を介してコイルばね（４１８）に機械的に接続されており、
前記コイルばね（４１８）は、前記外側カラー（４０４）を前記作動位置に向けて付勢する、
請求項１に記載のワイヤ準備デバイス（１００）。
【請求項９】
前記ワイヤスピナ（１０８）は撚り戻しワイヤスピナ（１０８Ａ）であり、
前記撚り戻しワイヤスピナ（１０８Ａ）の前記コレットスリーブ（４０２）の前記チャネル（１３０）は、ワイヤの撚り対（２２０）の各ワイヤ（１３２）の前記端部（２１８）を同時に受け入れるように構成されているサイズおよび寸法を有し、前記撚り戻しワイヤスピナ（１０８Ａ）の回転によって前記ワイヤの撚り対が撚り戻されるようになっており、
前記ワイヤ準備デバイス（１００）は、前記デバイスハウジング（１０４）によって保持され前記モータ（１０２）に機械的に接続されている、少なくとも１つの直線化ワイヤスピナ（１０８Ｂ、１０８Ｃ）を更に含み、
各直線化ワイヤスピナ（１０８Ｂ、１０８Ｃ）は、前記撚り戻しワイヤスピナ（１０８Ａ）から離間した位置で前記デバイスハウジング（１０４）の前記前端部（１１０）を越えて突出しており、
前記直線化ワイヤスピナ（１０８Ｂ、１０８Ｃ）は、前記ワイヤの撚り対の単一のワイヤの端部を中に受け入れるように構成されているサイズおよび寸法を有するチャネル（１３０）を画定するコレットスリーブ（４０２）を含み、
前記直線化ワイヤスピナ（１０８Ｂ、１０８Ｃ）の回転により前記単一のワイヤが個々に直線化されるようになっている、
請求項１に記載のワイヤ準備デバイス（１００）。
【請求項１０】
前記撚り戻しワイヤスピナ（１０８Ａ）および前記直線化ワイヤスピナ（１０８Ｂ、１０８Ｃ）は、互いに平行な異なる旋転軸（１３６）に沿って延在し、これらを中心に回転する、
請求項９に記載のワイヤ準備デバイス（１００）。
【発明の詳細な説明】
【技術分野】
【０００１】
本明細書における主題は一般に、ケーブルのワイヤの端部をその後のワイヤの処理のために準備するために使用される、ワイヤ準備デバイスに関する。
【背景技術】
【０００２】
電気通信、電子機器、コンピュータ産業におけるケーブルでは、シールドされた撚り線およびシールドされていない撚り線が利用されている。これらのワイヤは典型的には、ケーブルの端部に提供される電気コネクタまたは端子に、１つまたは複数の処理動作を介して終端される。ワイヤを終端する準備をするために、撚り線は露出され、この撚り線の一部が撚り戻され、直線化される。個々のワイヤはその後、圧着、はんだ付けなどを介して電気コネクタまたは端子に終端される。
【発明の概要】
【発明が解決しようとする課題】
【０００３】
そのようなケーブルの一般的な例は、典型的には１本または複数本のワイヤの撚り対を含み、これには適正に終端させる前に、露出、撚り戻し、および直線化を行わねばならない。ワイヤの撚り対を撚り戻すための従来の方法は、ワイヤを手で撚り戻すものである。手作業での撚り戻しでは、時間がかかり、皮膚が刺激される可能性があり、ワイヤが効果的に直線化されない。例えば、ワイヤの撚り対を単に互いに分離するだけでは、そのワイヤの材料における「撚り状態の記憶（ｔｗｉｓｔ  ｍｅｍｏｒｙ）」に起因して、それらのワイヤが直線化されることにはならない場合がある。ワイヤを撚り戻すための別の既知の方法は「突き刺し法（ｐｉｃｋ  ｍｅｔｈｏｄ）」として知らており、これには、使用者が撚り線の端から端の間に金属またはプラスチック製の突き針（ａｗｌ）を入れ、この突き針をワイヤの遠位端に向けて移動させることが含まれる。突き刺し法には、突き針がワイヤを損傷し得ること、突き刺し法はあらゆる種類のワイヤを撚り戻すことができるとは限らず、ワイヤが直線化されない場合もあることを含め、いくつかの欠点が含まれる。解決すべき問題は、ワイヤの撚り対の撚り戻しおよび直線化を、容易に、効率的に、および確実に行うデバイスを提供することである。
【課題を解決するための手段】
【０００４】
この問題は、モータと、デバイスハウジングと、ワイヤスピナと、を含むワイヤ準備デバイスを提供することによって解決される。デバイスハウジングは前端部を有し、この前端部にモータの後方で結合されている。ワイヤスピナはデバイスハウジングによって保持され、動力結合構成要素を介してモータに機械的に接続されている。ワイヤスピナは、デバイスハウジングの前端部から突出しているワイヤ端まで延在する。ワイヤスピナは、ワイヤ端の開口部を通してケーブルの１本または複数本のワイヤの端部を中に受け入れるように構成されているチャネルを画定する、コレットスリーブを含む。ワイヤスピナは、コレットスリーブを包囲しておりコレットスリーブに対して後退位置と作動位置の間で移動可能な、外側カラーを更に含む。作動位置にある外側カラーは、コレットスリーブを半径方向内向きに収縮させて、１本または複数本のワイヤをチャネル内に解放可能に固定する。ワイヤスピナは、モータによってデバイスハウジングに対して回転され、コレットスリーブ内に解放可能に固定されているケーブルの１本または複数本のワイヤの撚り戻しまたは直線化を行うように構成されている。
【０００５】
ここで本発明について、以下の添付の図面を参照して、例示により記載する。
【図面の簡単な説明】
【０００６】
【図１】ある実施形態に従って形成されたワイヤ準備デバイスの正面斜視図である。
【図２Ａ】ある実施形態に係る、ワイヤ準備デバイスのそのジャケット剥離ステーションを示す、一部の正面図である。
【図２Ｂ】ある実施形態に係る、ワイヤ準備デバイスのその撚り対撚り戻しステーションを示す、別の一部の正面図である。
【図２Ｃ】ある実施形態に係る、ワイヤ準備デバイスのそのワイヤ直線化ステーションを示す、別の一部の正面図である。
【図３】ある実施形態に係るワイヤ準備デバイスの側面斜視図であり、デバイスハウジングの無い状態のワイヤ準備デバイスを示す図である。
【図４】ある実施形態に係るワイヤ準備デバイスのワイヤスピナの分解斜視図である。
【図５】ワイヤ準備デバイスの一部の側方断面図であり、ある実施形態に係るワイヤスピナのうちの１つのチャネル内に装填中のワイヤを示す図である。
【図６】図５に示したワイヤ準備デバイスの一部の側方断面図であり、ワイヤスピナのチャネル内に固定されたワイヤを示す図である。
【図７】ある実施形態に係るワイヤ準備デバイスの複数のワイヤスピナの分解した各部を示す斜視図である。
【図８】ある実施形態に係るワイヤ準備デバイスのジャケット剥離器の分解斜視図である。
【図９】ある実施形態に係る、ばね式プランジャが切断位置にあるジャケット剥離器の正面図である。
【図１０】ある実施形態に係る、ばね式プランジャが後退位置にあるジャケット剥離器の正面図である。
【発明を実施するための形態】
【０００７】
図１は、ある実施形態に従って形成されたワイヤ準備デバイス１００の正面斜視図である。ワイヤ準備デバイス１００は、モータ１０２と、デバイスハウジング１０４と、デバイスハウジング１０４によって保持される複数のワイヤ準備ステーションと、を含む。ワイヤ準備ステーションは、例示した実施形態では、ジャケット剥離ステーション１６０と、撚り対撚り戻しステーション１６２と、ワイヤ直線化ステーション１６４と、を含む。ステーション１６０、１６２、１６４は、複数のワイヤスピナ１０８およびジャケット剥離器１０６によって定められる。ワイヤスピナ１０８およびジャケット剥離器１０６は、電気ケーブル１１４（図２Ａに示す）に対して特定の処理動作を行うように構成されており、これらについては、図２Ａ〜２Ｃを参照して以下により詳細に記載されている。ワイヤスピナ１０８およびジャケット剥離器１０６は、デバイスハウジング１０４内でモータ１０２に機械的に接続されており、モータ１０２によってデバイスハウジング１０４に対して回転される。例えば、ワイヤ準備デバイス１００は、デバイスハウジング１０４内に、ワイヤスピナ１０８およびジャケット剥離器１０６をモータ１０２に機械的に接続する、動力結合構成要素１２４（図３に示す）を更に含む。ワイヤ準備デバイス１００は、テーブルまたは作業台（図示せず）上に装着可能なベンチトップ機械であってもよい。ワイヤ準備デバイス１００は、サイズおよび重量が比較的小さく（例えば、１０ポンド未満）、携帯可能であってもよい。
【０００８】
デバイスハウジング１０４は、前端部１１０と反対側の後端部１１２とを含む。本明細書で使用される場合、「前」、「後ろ」、「上部」、「底部」、「上側」、および「下側」などの相対的なまたは空間に関する用語は、ワイヤ準備デバイス１００の言及された要素を区別するためにのみ使用され、重力に対するおよび／またはワイヤ準備デバイス１００の周囲環境に対する特定の位置または配向を必ずしも必要としない。モータ１０２は、前端部１１０の後方でデバイスハウジング１０４に結合されている。デバイスハウジング１０４は、前端部１１０にパネル１４２を含む。例示した実施形態では、モータ１０２はデバイスハウジング１０４の後端部１１２に結合されているが、代替の実施形態では、デバイスハウジング１０４の別の部分に結合されていてもよい。モータ１０２はある実施形態では、駆動シャフト１２６（図３に示す）の完全な回転を実現するように構成されている、ステッパモータである。モータ１０２は、回転駆動シャフトの回転をいくつかの等しい段へと分割する。モータ１０２は、操作者が手動スイッチ１１６を介して制御可能である。例えば、スイッチ１１６は、モータ１０２の起動および動作停止を制御する。代替の実施形態では、スイッチ１１６は、モータ１０２の速度を制御する。例示した実施形態では、スイッチ１１６は、電気ワイヤ１２０を介してモータ１０２に電気接続されているフットペダル１１８である。ワイヤ準備デバイス１００は図１では実際の縮尺で描かれていない場合があり、例えば、フットペダル１１８は、モータ１０２と比較して、図１に図示されているフットペダル１１８よりもサイズが大きい場合がある。
【０００９】
ワイヤスピナ１０８は各々同様の構造を有する。例えば、各ワイヤスピナ１０８は、デバイスハウジング１０４から前端部１１０を越えて外に突出している、それぞれのワイヤ端１２２まで延在する。各ワイヤスピナ１０８は、パネル１４２内に画定されているポート開口部１２８を通って延在する。ワイヤスピナ１０８は各々、ワイヤ端１２２に開口しているチャネル１３０を含む。チャネル１３０は、ケーブル１１４の１本または複数本のワイヤ１３２（図２Ａに示す）を中に受け入れるように構成されている。ワイヤスピナ１０８は各々、ワイヤ端１２２にコレット組立体１３４を含む。コレット組立体１３４は、それぞれのチャネル１３０内に１本または複数本のワイヤ１３２を解放可能に固定するための、把持機構を提供する。例えば、コレット組立体１３４は、１本または複数本のワイヤ１３２の装填および取り出しを行うために、手動で作動される。ある実施形態では、ワイヤスピナ１０８のコレット組立体１３４はばね押しされ、１本または複数本のワイヤ１３２を把持してこの１本または複数本のワイヤ１３２をチャネル１３０内に固定する方向に付勢される。
【００１０】
ワイヤスピナ１０８は、それぞれの旋転軸（spinning axis）１３６に沿って各々配向される。ワイヤスピナ１０８は、デバイスハウジング１０４に対してそれぞれの旋転軸１３６を中心に回転するように構成されている。例えば、１本または複数本のワイヤ１３２がワイヤスピナ１０８のうちの１つのチャネル１３０内に固定されるとき、モータ１０２によってそのワイヤスピナ１０８を回転させることにより、チャネル１３０内の１本または複数本のワイヤ１３２が、ワイヤ準備デバイス１００から離れて保持されるケーブル１１４（図２Ａに示す）の部分に対して回転または旋転する。ワイヤスピナ１０８の回転の方向は、１本または複数本のワイヤ１３２の旋転により１本または複数本のワイヤ１３２が撚り戻されるおよび／または直線化されるように、ケーブル１１４内で１本または複数本のワイヤ１３２が撚られている撚り方向と反対になるように制御される。例示した実施形態では、ワイヤスピナ１０８は、互いに平行に延在する（例えば、旋転軸１３６は互いに平行である）。
【００１１】
例示した実施形態では、ワイヤ準備デバイス１００は３つのワイヤスピナ１０８、すなわち、撚り戻しワイヤスピナ１０８Ａおよび２つの直線化ワイヤスピナ１０８Ｂ、１０８Ｃを含む。２つの直線化ワイヤスピナ１０８Ｂ、１０８Ｃは、デバイスハウジング１０４の前端部１１０にパネル１４２に沿って隣り合って対１４０として配設されている。撚り戻しワイヤスピナ１０８Ａは、パネル１４２に沿って直線化ワイヤスピナ１０８Ｂ、１０８Ｃの対１４０から離間されている。２つの直線化ワイヤスピナ１０８Ｂ、１０８Ｃおよび撚り戻しワイヤスピナ１０８Ａは、図２Ｂおよび図２Ｃを参照して以下に記載するように、２つの異なる処理ステーションを表す。
【００１２】
ジャケット剥離器１０６は、３つのワイヤスピナ１０８Ａ〜Ｃから離間した位置でパネル１４２を通ってデバイスハウジング１０４の前端部１１０を越えて突出している、円筒形ハウジング１４４を含む。ジャケット剥離器１０６は、ワイヤスピナ１０８Ａ〜Ｃとは異なる処理ステーションを表す。したがって、ワイヤ準備デバイス１００は、例示した実施形態では、デバイスハウジング１０４に組み込まれた３つの別個の処理ステーションを含む。円筒形ハウジング１４４は、ケーブル端１４６まで延在し、ケーブル端１４６に開口しているソケット１４８を画定する。円筒形ハウジング１４４は、ソケット１４８内にケーブル１１４の未処理の端部１５０（図２Ａに示す）を受け入れるように構成されている。円筒形ハウジング１４４は、長手軸線１５２に沿って延在し、モータ１０２によって長手軸線１５２を中心に回転されるように構成されている。長手軸線１５２は、ワイヤスピナ１０８の旋転軸１３６と平行であってもよい。
【００１３】
図２Ａ〜２Ｃは、ワイヤ準備デバイス１００（図１に示す）の各部分の正面図を示しており、ある実施形態に係るジャケット剥離ステーション１６０、撚り対撚り戻しステーション１６２、およびワイヤ直線化ステーション１６４をそれぞれ示す。任意選択的に、ワイヤ準備デバイス１００は、パネル１４２上に、「ジャケット剥離器」、「撚り戻し器」、および「ワイヤ直線化器」などの、ステーション１６０、１６２、１６４を識別するラベル２０４を含んでもよい。また更に、パネル１４２は任意選択的に、ジャケット剥離器１０６およびワイヤ剥離器１０８の回転方向を示す、矢印２０６を含む。ワイヤ準備デバイス１００は例示した実施形態では３つのステーション１６０、１６２、１６４を含むが、他の実施形態では、ワイヤ準備デバイス１００は、ステーション１６０、１６２、１６４のうちの１つまたは２つのみを含んでもよい。また更に、ワイヤ準備デバイス１００は、他の実施形態では、３つのステーション１６０、１６２、１６４に加えて、またはステーション１６０、１６２、１６４のうちの１つもしくは２つの代わりに、ステーション１６０、１６２、１６４とは異なる１つまたは複数のステーションを含んでもよい。
【００１４】
まず図２Ａを参照すると、ジャケット剥離ステーション１６０はジャケット剥離器１０６を含む。円筒形ハウジング１４４のソケット１４８は、ケーブル１１４の端部１５０を中に収容するサイズおよび寸法を有する。ソケット１４８内に受け入れられるケーブル１１４の端部１５０は未剥離または未処理の状態であり、したがって端部１５０は、複数のワイヤ１３２を包囲しているケーブルジャケット２０２を含む。
【００１５】
例示した実施形態では、ケーブル１１４のワイヤ１３２をその後の電気端子および／または電気コネクタでの終端のために準備するために、操作者は、ケーブル１１４の未剥離の端部１５０をソケット１４８内に装填する。図示されていないが、円筒形ハウジング１４４は、ソケット１４８内に、ケーブルジャケット２０２に係合するブレード２０８（図８に示す）を収容している。ケーブル１１４がソケット１４８内に装填されブレード２０８と係合した後で、操作者はスイッチ１１６（図１）を介してモータ１０２（図１に示す）を起動し、ジャケット剥離器１０６がデバイスハウジング１０４に対して回転する。ある実施形態では、ソケット１４８の外にあるケーブル１１４の部分は、例えば操作者が手でケーブル１１４を保持することによって、回転に関して固定された位置に保持される。ソケット１４８の外にあるケーブル１１４の固定された部分により、ケーブル１１４の端部１５０がジャケット剥離器１０６と一緒に回転するのに抵抗するねじり力がもたらされる。この結果、ジャケット剥離器１０６はケーブル１１４の端部１５０に対して回転し、ブレード２０８はケーブル１１４の外周に沿って移動する。ジャケット剥離器１０６は、ケーブルジャケット２０２を剥離するために、時計回りまたは反時計回り方向に回転することができる。図２Ａにおけるジャケット剥離器１０６の上方の矢印２０６は、ジャケット剥離器１０６が時計回りに回転することを示すが、代替の実施形態では、ジャケット剥離器１０６は反時計回りに回転してもよい。
【００１６】
ブレード２０８がケーブル１１４の全周を移動すると、ブレード２０８は、ケーブル１１４の残りの部分からケーブルジャケット２０２の遠位区域２１０を切断することができる。この場合操作者は、遠位区域２１０を切断するために、モータ１０２を起動して、ジャケット剥離器１０６を少なくとも１回回転させることができる。その後操作者は、ソケット１４８からケーブル１１４を取り外し、ケーブル１１４からケーブルジャケット２０２の遠位区域２１０を引っ張って、ケーブル１１４の剥離した端部（stripped end portion）２１２を得ることができる。ケーブルジャケット２０２の、除去された遠位区域２１０は廃棄することができる。
【００１７】
ある実施形態では、ケーブル１１４は、互いの周囲で撚られているワイヤ１３２の撚り対２２０を含み通常はケーブルジャケット２０２によって包囲されている、撚り対電気ケーブルである。撚り対２２０の２本のワイヤ１３２は、絶縁層２１６が金属コア（図示せず）を包囲している絶縁ワイヤである。ケーブル１１４は、１０ギガビット／秒（Ｇｂｐｓ）を超える、例えば２５Ｇｂｐｓを超える速度でデータ信号を伝送する、高速ケーブル１１４であってもよい。任意選択的に、ケーブル１１４は、低速のデータ信号および／または電力を伝送するように構成されてもよい。代替の実施形態では、ケーブル１１４は、絶縁ワイヤの代わりに１本または複数本の撚られた光ファイバを含む、光ケーブルであってもよい。別の代替の実施形態では、ケーブル１１４は、ジャケット２０２内に、少なくとも１本の絶縁電気ワイヤおよび少なくとも１本の光ファイバを含んでもよい。図示されていないが、ケーブル１１４は、ワイヤ１３２とジャケット２０２の間の導電シールド層（例えば、金属編組および／または金属フォイル）などの、追加の要素を含んでもよい。ケーブル１１４の剥離した端部２１２は、ケーブルジャケット２０２によって包囲されていない、撚り線１３２の露出区域２１３を含む。
【００１８】
ここで図２Ｂを参照すると、撚り対撚り戻しステーション１６２は、撚り戻しワイヤスピナ１０８Ａを含む。ジャケット剥離工程後、ワイヤ１３２の撚り対２２０は、ワイヤ端１２２の開口部２１４を通して、ワイヤスピナ１０８Ａのチャネル１３０内に装填される。ワイヤ撚り戻しスピナ１０８Ａのチャネル１３０は、撚り対２２０のワイヤ１３２の各々の端部２１８を同時に中に収容するサイズおよび寸法を有する。操作者によってワイヤ１３２の端部２１８がワイヤ撚り戻しスピナ１０８Ａのチャネル１３０内に固定されると、操作者はモータ１０２（図１に示す）を再び起動して、撚り戻しワイヤスピナ１０８Ａをデバイスハウジング１０４に対して回転させる。撚り戻しワイヤスピナ１０８Ａは、撚り対２２０の撚り方向と反対の方向に回転するように制御される。例えば、例示した実施形態では、撚り対２２０の２本のワイヤ１３２は、反時計回り方向２２２に螺旋状に撚られているかまたは互いの周囲に巻かれている。２本のワイヤ１３２を撚り戻すために、ワイヤスピナ１０８Ａは、（ワイヤスピナ１０８Ａの上方の矢印２０６が示すように）時計回り方向に回転される。ワイヤスピナ１０８Ａが回転する際、チャネル１３０の外にあるケーブル１１４の部分は、例えば操作者がケーブル１１４を保持することによって、固定位置に回転する向きで保持される。したがって、ワイヤ１３２の端部２１８は、ケーブル１１４の固定された部分に対してワイヤスピナ１０８Ａと一緒に回転する。ワイヤ１３２の露出区域２１３を分離するために必要なワイヤスピナ１０８Ａの回転の回数は、剥離した端部２１２に沿ったワイヤ１３２の撚りの回数によって決まる。例示した実施形態では、ワイヤスピナ１０８Ａのほぼ１回転によって、ワイヤ１３２の露出区域２１３が互いから分離される。
【００１９】
ここで、図２Ｃを参照する。図２Ｃは、ワイヤ直線化ステーション１６４が、パネル１４２に沿って互いに隣り合って配設されている直線化ワイヤスピナ１０８Ｂ、１０８Ｃを含むことを示す。ワイヤ１３２の露出区域２１３が互いから分離されると、ワイヤ１３２は通常は撚られた向きを維持しており、線状には延びていない。例えば、図２Ｃにおけるワイヤ１３２のうちの１本は、ワイヤ１３２がその長さに沿って撚られていることに起因して、螺旋状に見える線２３０を含む。撚られたおよび／または曲がったワイヤを終端するのは困難な場合があり、したがって直線化ワイヤスピナ１０８Ｂ、１０８Ｃは、個々のワイヤ１３２を直線化するおよび撚り戻すように構成されている。
【００２０】
直線化ワイヤスピナ１０８Ｂ、１０８Ｃは互いと同一であってもよい。直線化ワイヤスピナ１０８Ｂ、１０８Ｃのチャネル１３０は各々、２本のワイヤ１３２のうちの一方のみの端部２１８を中に収容するサイズおよび寸法を有する。したがって、直線化ワイヤスピナ１０８Ｂ、１０８Ｃのチャネル１３０は、撚り対２２０の両方のワイヤ１３２を収容する撚り戻しワイヤスピナ１０８Ａのチャネル１３０よりも小さくすることができる。直線化ワイヤスピナ１０８Ｂ、１０８Ｃが近いことに起因して、両方のワイヤ１３２の端部２１８をチャネル１３０内に同時に装填することができ、この場合、一方のワイヤ１３２は一方のチャネル１３０に挿入され、他方のワイヤ１３２は他方のチャネル１３０に挿入される。ワイヤ１３２が対応するチャネル１３０内に固定されると、操作者はモータ１０２（図１に示す）を起動することができ、モータ１０２は、直線化ワイヤスピナ１０８Ｂ、１０８Ｃを同時に回転させる。上記したように、ワイヤ１３２の端部２１８の回転中、操作者または別のデバイスによって、直線化ワイヤスピナ１０８Ｂ、１０８Ｃの外にあるケーブル１１４の部分を固定位置に保持することができる。直線化ワイヤスピナ１０８Ｂ、１０８Ｃは、互いに同じ方向に回転される。撚り戻しワイヤスピナ１０８Ａと同様に、直線化ワイヤスピナ１０８Ｂ、１０８Ｃは、撚り対２２０の撚り方向と反対の方向に回転される。例えば、ワイヤ１３２表面の螺旋状の線２３０は、ワイヤ１３２が反時計回り方向に撚られていることを示し、したがって、直線化ワイヤスピナ１０８Ｂ、１０８Ｃの時計回り方向への回転により、ワイヤ１３２の露出区域２１３に沿って「撚り状態の記憶」を除去するかまたはその量を少なくとも減らすことができる。
【００２１】
図２Ｃに示すように、モータ１０２の動作を停止し直線化ワイヤスピナ１０８Ｂ、１０８Ｃからワイヤ１３２を取り外した後では、ワイヤ１３２の露出区域２１３は、直線化ワイヤスピナ１０８Ｂ、１０８Ｃ内に装填する前の露出区域よりも、撚りが軽減され、直線により近くなっている。図２Ａ〜２Ｃに示すように、ワイヤ準備デバイス１００（図１に示す）は、１つのデバイスにおいて、３つの異なる処理動作である、ジャケット剥離、撚り線の撚り戻し、およびワイヤ直線化を提供する。ワイヤ１３２の直線化が終わると、ケーブル１１４に追加の処理を行う準備が整う。例えば、ケーブル１１４を次に、ワイヤ１３２の端部２１８を切断するおよび／またはワイヤ１３２の端部２１８の絶縁体２１６を剥離するための、別の機械またはデバイスに送ることができる。
【００２２】
図３は、ある実施形態に係るワイヤ準備デバイス１００の側面斜視図であり、デバイスハウジング１０４の無い状態のワイヤ準備デバイス１００を示す。デバイスハウジング１０４内に保持されているワイヤ準備デバイス１００の動力結合構成要素１２４を示すために、デバイスハウジング１０４は省略されている。動力結合構成要素１２４は、ワイヤスピナ１０８およびジャケット剥離器１０６をモータ１０２に機械的に接続する、機械的連接部である。例えば、動力結合構成要素１２４は、モータ１０２の駆動シャフト１２６と係合する、モータカプラ３０２を含む。動力結合構成要素１２４はまた、ワイヤスピナ１０８およびジャケット剥離器１０６の各々に動力を分配するために使用される、歯車セット３０４も含む。歯車セット３０４は、駆動歯車３０６と、駆動歯車３０６と個々に噛み合わされている、複数の従動歯車３０８とを含む。モータカプラ３０２は、モータ１０２と駆動歯車３０６の間に機械的に接続されている。
【００２３】
従動歯車３０８の各々は対応する出力シャフト３１０に固定（fixed or secured）され、この結果、従動歯車３０８の回転により出力シャフト３１０もまた回転されるようになっている。出力シャフト３１０は、ワイヤスピナ１０８およびジャケット剥離器１０６に接続されている。例えば、第１の従動歯車３０８Ａは、ある出力シャフト３１０を介してワイヤスピナ１０８Ｃに機械的に接続されており、第２の従動歯車３０８Ｂは、別の出力シャフト３１０を介してジャケット剥離器１０６に機械的に接続されている。
【００２４】
モータ１０２の動作中は、駆動シャフト１２６の回転によりモータカプラ３０２が回転される。モータカプラ３０２の回転により、歯車セット３０４を介してワイヤスピナ１０８およびジャケット剥離器１０６が回転する。例えば、モータカプラ３０２を介した駆動歯車３０６の回転により、従動歯車３０８および出力シャフト３１０が回転される。ある実施形態では、ワイヤスピナ１０８およびジャケット剥離器１０６の全ての動力が、モータ１０２の単一の駆動シャフト１２６によって与えられ、様々な処理動作のための複数の動力源を必要としない。このように、ジャケット剥離動作およびワイヤ直線化動作の両方の動力が、単一のモータ１０２によって与えられる。また更に、動力結合構成要素１２４は、モータ１０２の動作により、ワイヤスピナ１０８およびジャケット剥離器１０６の全てが同時に回転されるように構成されてもよい。任意選択的に、動力結合構成要素１２４は、ワイヤスピナ１０８またはジャケット剥離器１０６のうちの１つまたは複数を、駆動歯車３０６との機械的接続から一次的に接続解除して、モータ１０２の動作中に回転するのがワイヤスピナ１０８およびジャケット剥離器１０６の全てよりも少なくするように構成されている、スイッチ（図示せず）を含んでもよい。任意選択的に、従動歯車３０８のうちの少なくともいくつかは駆動歯車３０６とは異なる歯車比を有してもよく、このことにより、関連付けられたワイヤスピナ１０８および／またはジャケット剥離器１０６は、異なる速度で回転する。例えば、第１の従動歯車３０８Ａの歯は第２の従動歯車３０８Ｂよりも少なくてもよく、したがって第１の従動歯車３０８Ａに接続されているワイヤスピナ１０８Ｃは、第２の従動歯車３０８Ｂに接続されているワイヤ剥離器１０６よりも、速く旋転し得る。
【００２５】
図４は、ある実施形態に係るワイヤ準備デバイスのワイヤスピナ１０８のうちの１つの分解斜視図である。ワイヤスピナ１０８は、図１に示すワイヤスピナ１０８Ａ、１０８Ｂ、１０８Ｃのうちのいずれか１つであり得る。ワイヤスピナ１０８の構成要素は、旋転軸１３６に沿って展開される。ワイヤスピナ１０８のコレット組立体１３４は、ワイヤ１３２（図２Ｂに示す）のうちの少なくとも１本をチャネル１３０内に素早く装填し、少なくとも１本のワイヤ１３２を固定し、その後少なくとも１本のワイヤ１３２を解放するための、把持機構を提供する。コレット組立体１３４は、コレットスリーブ４０２と外側カラー４０４とを含む。
【００２６】
コレットスリーブ４０２はチャネル１３０を画定する。コレットスリーブ４０２は軸方向の複数の切り溝４０６によって区切られており、これらの切り溝４０６はコレットスリーブ４０２の周囲に沿って離間され、複数の片持ち梁式アーム４０８を画定する。片持ち梁式アーム４０８は、スリーブ４０２の前端部４１２まで延在する、コレットスリーブ４０２の遠位先端部４１０を画定する。遠位先端部４１０に沿ったチャネル１３０のサイズは、片持ち梁式アーム４０８同士の間の間隔の影響を受ける。コレットスリーブ４０２は、遠位先端部４１０に沿って円錐形の外周を有する。例示した実施形態では、この外周は前端部４１２に向かってテーパ状であるが、代替の実施形態では、外周は前端部４１２に向かって次第に大きくなってもよい。
【００２７】
外側カラー４０４はコレットスリーブ４０２を包囲しており、コレットスリーブ４０２に対して後退位置と作動位置の間で移動可能である。外側カラー４０４は、コレットスリーブ４０２を収容する内部キャビティ４１４（図５に示す）を含む。外側カラー４０４は、外側カラー４０４の前端部４１６に、ワイヤスピナ１０８の開口部２１４を画定する。例示した実施形態では、外側カラー４０４は、解放シャフト４２０を介してコイルばね４１８に機械的に接続されている。コイルばね４１８により、外側カラー４０４に、コレットスリーブ４０２を基準にして付勢する力が加えられる。外側カラー４０４は、例示した実施形態では、ねじ山区域４２６を介してシャフト４２０の前端部４２４に固定されるように構成されているが、別の実施形態では、接着剤または固定具を介してシャフト４２０に固定されてもよい。解放シャフト４２０は中空であり、ワイヤスピナ１０８が組み立てられるときにコレットスリーブ４０２の一部を包囲する。出力シャフト３１０は、解放シャフト４２０内にその後端部４２８を通して受け入れられ、ねじ接続部、接着剤、または固定具を介して、解放シャフト４２０内のコレットスリーブ４０２に動かないように固定される。したがって、出力シャフト３１０の回転によりコレットスリーブ４０２が回転する。
【００２８】
例示した実施形態では、ワイヤスピナ１０８は、ピン４３０を含む。ピン４３０は、スロット４３２を通って解放シャフト４２０内に延在し（図５に示すように）解放シャフト４２０内の出力シャフト３１０に固定される。ピン４３０はしたがって、出力シャフト３１０に対して固定される。スロット４３２は細長く、解放シャフト４２０がピン４３０（ならびに出力シャフト４２０およびコレットスリーブ４０２の両方）に対して軸方向に移動するのを可能にする。コイルばね４１８は解放シャフト４２０を包囲しており、環状リング４３３とナット４３４の間に保持されている。ナット４３４は、解放シャフト４２０の後端部４２８にねじ接続される。環状リング４３３はピン４３０に係合する。ある実施形態では、コイルばね４１８は、ピン４３０を基準にして解放シャフト４２０に軸方向のばね力を及ぼし、このことによりコレットスリーブ４０２を基準にして外側カラー４０４を付勢するように構成されている。
【００２９】
図５は、ワイヤ準備デバイス１００の一部の側方断面図であり、ある実施形態に係るワイヤスピナ１０８のうちの１つのチャネル１３０内に装填中のワイヤ１３２を示す。図６は、図５に示したワイヤ準備デバイス１００の一部の側方断面図であり、ワイヤスピナ１０８のチャネル１３０内に固定されたワイヤ１３２を示す。外側カラー４０４は、図５では後退位置にあり、図６では作動位置にある。
【００３０】
ワイヤスピナ１０８の組み立てられた状態では、コレットスリーブ４０２は外側カラー４０４の内部キャビティ４１４内に配設されている。ある実施形態では、内部キャビティ４１４は、カラー４０４の前端部４１６に向かってテーパ化された形状を有する。例えば、内部キャビティ４１４を画定するカラー４０４の内壁４５２は、円錐形である。内壁４５２の傾斜は、コレットスリーブ４０２の遠位先端部４１０に沿った円錐形の外周と概ね相補の関係であり、遠位先端部４１０に係合するように構成されている。内壁４５２により、コレットスリーブ４０２の片持ち梁式アーム４０８が、チャネル１３０に向かって半径方向内向きに押しやられる。円錐形の内壁４５２およびコレットスリーブ４０２の円錐形の外周に起因して、コレットスリーブ４０２に対する外側カラー４０４の軸方向の移動は、外側カラー４０４がコレットスリーブ４０２に及ぼす、コレットスリーブ４０２を半径方向内向きに収縮させる力の量に影響を与える。
【００３１】
図５を参照すると、ワイヤ１３２の露出区域２１３が装填のためにワイヤスピナ１０８の開口部２１４に向かって移動されるにつれて、外側カラー４０４が後退位置へと移動される。ある実施形態では、外側カラー４０４はばね４１８（および解放シャフト４２０）によって作動位置に向かって付勢され、したがって、外側カラー４０４を後退位置へと移動させるためには、外側カラー４０４に軸方向の後退方向４５０に手で力を加える必要がある。後退位置では、外側カラー４０４の前端部４１６とコレットスリーブ４０２の前端部４１２の間に軸方向の間隙が存在する。外側カラー４０４の内壁４５２の円錐形の形状に起因して、外側カラー４０４により、スリーブ４０２の片持ち梁式アーム４０８が半径方向外向きに復帰することが可能になり、このことにより、ワイヤ１３２を中に受け入れるためのチャネル１３０のサイズが大きくなる。
【００３２】
ここで図６を参照すると、ワイヤ１３２がチャネル１３０内に受け入れられると、ワイヤ１３２は、外側カラー４０４を作動位置へと移動させることによって、チャネル１３０内に解放可能に固定される。例示した実施形態では、ばね４１８により、カラー４０４が、後退方向４５０とは反対の、軸方向の作動方向４５８に押しやられる。このように、ばね４１８に起因して、外側カラー４０４がコレットスリーブ４０２を基準にして作動位置に向かって移行するのを可能にするために、操作者は単に外側カラー４０４を解放すればよい。代替の実施形態では、ばね４１８を使用してばね力を提供する代わりに、外側カラー４０４を、外側カラー４０４を螺旋状のねじ山（図示せず）に沿って回転させることによって、軸方向の作動方向４５８に移動させてもよい。作動位置では、外側カラー４０４の前端部４１６はコレットスリーブ４０２の前端部４１２とほぼ位置合わせされ、この結果、前端部４１６と前端部４１２の間に軸方向の間隙が存在する場合、これが小さくなる。スリーブ４０２に対して外側カラー４０４を後ろ向きに移動させると、カラー４０４の内壁４５２により片持ち梁式アーム４０８が半径方向内向きに収縮され、チャネル１３０のサイズが小さくなる。収縮アーム４０８はチャネル１３０内でワイヤ１３２の周囲を締め付け、ワイヤ１３２をチャネル１３０内に固定する。ワイヤ１３２の端部２１８は、コレットスリーブ４０２の回転によりワイヤ１３２の端部２１８も回転されるように、チャネル１３０内に固定される。
【００３３】
図７は、ある実施形態に係るワイヤスピナ１０８Ａ、１０８Ｂ、１０８Ｃの分解した各部を示す斜視図である。例えば、２つの直線化ワイヤスピナ１０８Ｂ、１０８Ｃは互いと同一であり、同じ構成要素およびサイズを有する。撚り戻しワイヤスピナ１０８Ａは、ある実施形態では、直線化ワイヤスピナ１０８Ｂ、１０８Ｃと類似しているが、サイズの点でスピナ１０８Ｂ、１０８Ｃとは異なっている。例えば、撚り戻しワイヤスピナ１０８Ａのコレットスリーブ４０２は、直線化ワイヤスピナ１０８Ｂ、１０８Ｃのコレットスリーブ４０２よりも大きい。この結果、撚り戻しワイヤスピナ１０８Ａのスリーブ４０２によって画定されるチャネル１３０は、撚られたワイヤ１３２を分離するために、撚り対２２０（図２Ｂに示す）の両方のワイヤ１３２を同時に収容するサイズを有する。直線化ワイヤスピナ１０８Ｂ、１０８Ｃのスリーブ４０２によって画定される、より小さいチャネル１３０は、対応する個々のワイヤ１３２を直線化するために、１回にワイヤ１３２のうちの１本のみを収容するサイズを有する。
【００３４】
図８は、ある実施形態に係るジャケット剥離器１０６の分解斜視図である。円筒形のハウジング１４４は、ケーブル端１４６と反対側のモータ端部６０２との間に延在する。モータ端部６０２は、図３に示すように、動力結合構成要素１２４の出力シャフト３１０に結合されている。ある実施形態では、ジャケット剥離器１０６のブレード２０８は、円筒形ハウジング１４４に装着されているばね式プランジャ６０４によって保持されている。プランジャ６０４は略円筒形である。プランジャ６０４は円筒形ハウジング１４４にある横方向の開口部６０６を通って延在し、開口部６０６内のプランジャ６０４は、ソケット１４８を横切って横方向に延在する。ブレード２０８は、プランジャ６０４を通って延在する開口６０８内に装着されている。開口６０８は、ジャケット剥離器１０６を組み立てるとき、ソケット１４８と少なくとも部分的に位置合わせされる。
【００３５】
プランジャ６０４は円筒形ハウジング１４４に対して移動可能である。プランジャ６０４は、円筒形ハウジング１４４を貫通しプランジャ６０４にある細長いスロット６１２を通って延在するピン６１０を介して、開口部６０６内に維持される。プランジャ６０４は、スロット６１２の両端部へのピン６１０の係合が許容する距離を移動することができる。ある実施形態では、ジャケット剥離器１０６は、コイルばね６１４と、プランジャ６０４に係合する１つまたは複数の環状の保持器リング６１６と、を含む。ばね６１４は、ブレード２０８を、ソケット１４８内のケーブル１１４のケーブルジャケット２０２に係合するようにソケット１４８と位置合わせさせる方向に、プランジャ６０４を付勢する。例えば、プランジャ６０４は第１の端部６２１にフランジ６２０を含み、スロット６１２はプランジャ６０４の反対側の第２の端部６２２の近くに配設されている。ばね６１４はプランジャ６０４の第２の端部６２２上に搭載され、円筒形ハウジング１４４の外面６２６と１つまたは複数の保持リング６１６の間に配設される。
【００３６】
図９は、ある実施形態に係る、ばね式プランジャ６０４が切断位置にあるジャケット剥離器１０６の正面図である。図９に示すように、プランジャ６０４上のブレード２０８は、ソケット１４８と少なくとも部分的に位置合わせされるように延在する。図１０は、ある実施形態に係る、ばね式プランジャ６０４が後退位置にあるジャケット剥離器１０６の正面図である。後退位置では、ブレード２０８はソケット１４８と位置合わせされるようには延在せず、したがって図１０ではブレード２０８は見えない。ある実施形態では、ばね６１４は、プランジャ６０４を図９に示す切断位置に向けて付勢する。
【００３７】
ケーブル１１４をソケット１４８内に装填してケーブルジャケット２０２を剥離するために、プランジャ６０４は、プランジャ６０４を開放方向７０２に押しやることによって、切断位置から後退位置へと手で移動される。例えば、操作者は、プランジャ６０４の第２の端部６２２を開放方向７０２へと押すことができるか、またはフランジ６２０を開口部方向７０２へと引っ張ることができる。ケーブル１１４はプランジャ６０４が後退位置にあるときにソケット１４８内に装填され、ブレード２０８がソケット１４８内への進入を妨げることはない。ケーブル１１４の装填後、プランジャ６０４を切断位置へと移動することが可能になる。例えば、ばね６１４によりプランジャ６０４が閉鎖方向７０４へと押しやられる。図９に示すように、プランジャ６０４が閉鎖方向７０４へと移動するにつれ、ブレード２０８がソケット１４８内へと移動し、ケーブルジャケット２０２の周縁に係合する。ばね６１４は、ブレード２０８をケーブルジャケット２０２と接触させて保持する。
【００３８】
プランジャ６０４が切断位置に入ると、モータ１０２（図１に示す）を起動することにより、ジャケット剥離器１０６の全体がケーブル１１４に対して回転される。この結果、円筒形ハウジング１４４およびプランジャ６０４は、ソケット１４８内でケーブル１１４を中心に回転する。ブレード２０８はケーブルジャケット２０２の全周を移動し、ジャケット２０２上に、ケーブル１１４の残りの部分からケーブルジャケット２０２の遠位区域２１０（図２Ａに示す）を切断する、環状の断裂を生じさせる。モータ１０２の動作の停止後、プランジャ６０４を手で後退位置まで戻し、ソケット１４８からケーブル１１４を引くことによって、ケーブル１１４をジャケット剥離器１０６から取り外すことができる。操作者は、ケーブルジャケット２０２の切断された遠位区域２１０をケーブル１１４から取り外して、剥離した端部２１２（図２）を得ることができる。
【００３９】
上記した実施形態におけるワイヤ準備デバイス１００は３つのワイヤスピナ１０８を含み、２つのワイヤスピナ１０８Ｂ、１０８Ｃのうちのいくつかが個々のワイヤを直線化するために使用され、ワイヤスピナ１０８Ａのうちの１つがワイヤの撚り対を分離するために使用される。しかしながら、他の実施形態では、ワイヤ準備デバイス１００は、３つよりも多いまたは少ないワイヤスピナ１０８を含んでもよい。例えば、ワイヤ準備デバイス１００は、ただ１つのワイヤスピナ１０８またはただ２つのワイヤスピナ１０８を含んでもよい。ワイヤ準備デバイス１００は、他の実施形態ではジャケット剥離器１０６を含まなくてもよいこともまた、認識される。例えば、ワイヤ準備デバイス１００は、１つの代替の実施形態では、複数のワイヤスピナ１０８を含んでもよく、ジャケット剥離器１０６は省略されている。したがって、ワイヤ準備デバイス１００は図１〜１０を参照して示され記載される実施形態に限定されないことが理解される。
【図１】
0006845379.tif 000002
【図２Ａ】
0006845379.tif 000003
【図２Ｂ】
0006845379.tif 000004
【図２Ｃ】
0006845379.tif 000005
【図３】
0006845379.tif 000006
【図４】
0006845379.tif 000007
【図５】
0006845379.tif 000008
【図６】
0006845379.tif 000009
【図７】
0006845379.tif 000010
【図８】
0006845379.tif 000011
【図９】
0006845379.tif 000012
【図１０】
0006845379.tif 000013